(57)【特許請求の範囲】
【請求項１】
複数のトナー収容部の各々に常用トナーを収容し当該常用トナーを用いて印字することの可能な印字機構に対し、印字対象の画像を出力する画像処理装置であって、
前記複数のトナー収容部のうち特定の常用トナーが収容されるべきトナー収容部に当該特定の常用トナーに代えて特殊トナーが収容されていることを認識する認識手段と、
前記特殊トナーを用いて印字すべき画像を取得する取得手段と、
所定の文書画像から生成された第１のＰＤＬ(Page Description Language)データに対し、前記取得手段により取得された画像を表す情報と、前記特定の常用トナーに代えて前記特殊トナーが収容されていることが前記認識手段により認識されることによって指定される当該特定の常用トナーを示す情報とを設定することにより、第２のＰＤＬデータを生成し、当該第２のＰＤＬデータを前記印字機構に出力する出力手段と
を備えたことを特徴とする画像処理装置。
【請求項２】
前記特殊トナーは、特定の波長の光を吸収する不可視トナーであることを特徴とする請求項１記載の画像処理装置。
【請求項３】
前記取得手段は、前記特殊トナーを用いて印字すべき画像として、当該画像が印字される記録媒体の識別情報と、当該記録媒体上の位置情報とを含むコード画像を取得することを特徴とする請求項１記載の画像処理装置。
【請求項４】
複数のトナー収容部の各々に常用トナーを収容し当該常用トナーを用いて印字することの可能な印字機構に対し、印字対象の画像を出力する画像処理方法であって、
前記複数のトナー収容部のうち特定の常用トナーが収容されるべきトナー収容部に当該特定の常用トナーに代えて特殊トナーが収容されていることを認識するステップと、
前記特殊トナーを用いて印字すべき画像を取得するステップと、
所定の文書画像から生成された第１のＰＤＬ(Page Description Language)データに対し、取得された画像を表す情報と、前記特定の常用トナーに代えて前記特殊トナーが収容されていることが認識されることによって指定される当該特定の常用トナーを示す情報とを設定することにより、第２のＰＤＬデータを生成し、当該第２のＰＤＬデータを前記印字機構に出力するステップと
を含むことを特徴とする画像処理方法。
【請求項５】
複数のトナー収容部の各々に常用トナーを収容し当該常用トナーを用いて印字することの可能な印字機構に対し、印字対象の画像を出力する機能をコンピュータに実現させるためのプログラムであって、
前記コンピュータに、
前記複数のトナー収容部のうち特定の常用トナーが収容されるべきトナー収容部に当該特定の常用トナーに代えて特殊トナーが収容されていることを認識する機能と、
前記特殊トナーを用いて印字すべき画像を取得する機能と、
所定の文書画像から生成された第１のＰＤＬ(Page Description Language)データに対し、取得された画像を表す情報と、前記特定の常用トナーに代えて前記特殊トナーが収容されていることが認識されることによって指定される当該特定の常用トナーを示す情報とを設定することにより、第２のＰＤＬデータを生成し、当該第２のＰＤＬデータを前記印字機構に出力する機能と
を実現させるためのプログラム。
【発明の詳細な説明】
【技術分野】
【０００１】
本発明は、印刷対象の画像を生成する画像処理装置に関し、より詳しくは、常用トナーを特殊トナーに交換して印字可能な印字機構に出力する画像を生成する画像処理装置等に関する。
【背景技術】
【０００２】
近年、文書や写真等の画像を印刷する際に画像内に情報を埋め込む技術が注目されている。例えば、印刷に用いられた画像形成装置を特定する情報を画像内に埋め込んでおけば、有価証券等の偽造が行われた場合に、その情報を特殊な装置で読み出し、偽造に用いられた画像形成装置を追跡することが可能となる。
かかる情報の埋め込み方法として、従来は、カラートナーを用いて、目視で認識が困難な微小サイズの画像を一定の変調量で重畳して印刷する方法が採られることが多かった。しかしながら、この方法では、埋め込む画像が同じ色のカラー画像に重なる場合、色分解できないため、情報として判別できないという不都合がある。また、この不都合を解消するため、埋め込む情報の量を増やすことも考えられるが、これでは画像密度が高くなり、画像の色調を変化させることになってしまう。
【０００３】
そこで、このような情報の埋め込みを、不可視光に吸収域を有する不可視トナーを用いて行うことが提案されている(例えば、特許文献１参照)。
この特許文献１では、画像形成装置において、例えば、イエロー(Ｙ)、マゼンタ(Ｍ)、シアン(Ｃ)、黒(Ｋ)の各色トナーを収容した現像器に加え、不可視トナーを収容した現像器を設け、この不可視トナーを用いて埋め込み情報を印刷している。
【０００４】
【特許文献１】特開２００１−２６５１８１号公報(第５−７頁、第３図)
【発明の開示】
【発明が解決しようとする課題】
【０００５】
ところで、フルカラーの画像に不可視トナーを用いて情報を埋め込む場合、特許文献１のように、イエロー(Ｙ)、マゼンタ(Ｍ)、シアン(Ｃ)、黒(Ｋ)、不可視(Ｉ)の５つの現像器を用いて印刷することが１つの方法として考えられる。しかしながら、これまでのフルカラー画像形成装置としては、イエロー(Ｙ)、マゼンタ(Ｍ)、シアン(Ｃ)、黒(Ｋ)の４つの現像器を有する構成のものが普通である。そのため、このような４つの現像器の画像形成装置に対し、不可視トナー用の現像器を追加しようとすると、画像形成装置の構成の大幅な変更が必要となり、多くのコストがかかってしまう。
そこで、従来の画像形成装置の構成を変更することなく、不可視トナーによる情報埋め込みを行う方法として、イエロー(Ｙ)、マゼンタ(Ｍ)、シアン(Ｃ)、黒(Ｋ)のいずれかのトナーを不可視(Ｉ)に置き換えて印刷することが考えられる。
【０００６】
例えば、ＫトナーをＩトナーに交換した場合は、イエロー(Ｙ)、マゼンタ(Ｍ)、シアン(Ｃ)、不可視(Ｉ)の各色トナーによる印刷となる。尚、この場合、イエロー(Ｙ)、マゼンタ(Ｍ)、シアン(Ｃ)の混合で黒色を表現できるため、一応フルカラーの印刷も可能となる。
一方で、黒(Ｋ)以外の特定の色を不可視(Ｉ)に交換することも考えられる。この場合は、黒(Ｋ)、不可視(Ｉ)に２色カラーを加えたトナーにより印刷する構成、或いは、そもそもフルカラー印刷ができないことから、２色カラーは用いず、黒(Ｋ)、不可視(Ｉ)のみで印刷する構成となる。
【０００７】
ところで、このように、イエロー(Ｙ)、マゼンタ(Ｍ)、シアン(Ｃ)、黒(Ｋ)のような常用トナーの代わりに不可視(Ｉ)のような特殊トナーを用いた場合、この不可視トナーで印刷する情報に対しては、置き換えられた常用トナーの色を指定して印刷を指示する必要がある。例えば、ＹトナーをＩトナーに交換したとする。この場合は、文書の印刷時に、埋め込む情報の色としてＹ色を設定しておけば、Ｉトナーで情報が印刷されることになる。
どの色のトナーを不可視トナーに交換するかは、提供するサービスや用途に応じて適宜決定すべきものであるが、ユーザ自身が情報を埋め込んだ文書を作成する場合、従来は、どの色が特殊トナーに交換されているかをユーザが把握し、文書上で埋め込み情報の色指定を行わなければならないという問題点があった。また、埋め込み情報が自動的に生成される場合は、画像形成装置における特殊トナーの設定状況に応じて色指定を変更することはできないという問題点もあった。
尚、ここでは、特殊トナーとして不可視トナーを例示したが、常用トナーとは色や性質の異なる種々の特殊トナーについて同様の問題は生じ得る。
【０００８】
本発明は、以上のような技術的課題を解決するためになされたものであって、その目的は、通常のフルカラー画像形成装置の構成で、特殊トナーを用いた出力を可能にすることにある。
また、本発明の他の目的は、通常のフルカラー画像形成装置の構成におけるどのトナーを特殊トナーと交換したかをユーザが意識することなく、特殊トナーを用いた画像を出力できるようにすることにある。
【課題を解決するための手段】
【０００９】
かかる目的のもと、本発明では、通常のフルカラー画像形成装置において特殊トナーによって置き換えられたトナーの色を認識し、特殊トナーで印刷したい情報にその色の指定を付加して出力するようにした。即ち、本発明の画像処理装置は、複数のトナー収容部の各々に常用トナーを収容しその常用トナーを用いて印字することの可能な印字機構に対し、印字対象の画像を出力する画像処理装置であって、複数のトナー収容部のうち特定の常用トナーが収容されるべきトナー収容部に特殊トナーが収容されていることを認識する認識手段と、特殊トナーを用いて印字すべき画像を取得する取得手段と、その特定の常用トナーを指定する指定情報と共に、又は、その特定の常用トナーの信号を用いて、取得手段により取得された画像を印字機構に出力する出力手段とを備えている。
ここで、特殊トナーは、例えば、特定の波長の光を吸収する不可視トナーである。また、特殊トナーを用いて印字すべき画像は、例えば、その画像が印字される記録媒体の識別情報と、その記録媒体上の位置情報とを含むコード画像である。
【００１０】
また、このような画像処理装置としては、具体的には、次のような構成のものが考えられる。即ち、まず、画像処理装置において、論理プリンタの設定時に、指定した画像形成装置と通信を行い、特殊トナーの色設定情報を論理プリンタ側に記憶する。次に、印刷対象の文書を出力する際には、この論理プリンタが、文書をＰＤＬ(Page Description Language)化するに当たり、特殊トナーで印刷したい情報に対し指定する色をＰＤＬコマンドで設定する。つまり、特殊トナーで印刷する情報のＰＤＬを元の文書のＰＤＬに追加し、出力用のＰＤＬを生成する。そして、このような構成は、上記の出力手段が、所定の文書画像から生成された第１のＰＤＬデータに対し、取得手段により取得された画像を表す情報及び指定情報を設定することにより、第２のＰＤＬデータを生成し、その第２のＰＤＬデータを印字機構に出力するものと捉えることができる。
【００１１】
更に、本発明は、このような画像処理を行う画像処理部を含む画像形成装置として捉えることもできる。その場合、本発明の画像形成装置は、各々に収容すべきトナーの色が決められた複数のトナー収容部と、この複数のトナー収容部のうち、指定された色のトナーが収容されるべきトナー収容部に収容されたトナーを用いて印字する印字部と、複数のトナー収容部のうち特定の色のトナーが収容されるべきトナー収容部に特殊トナーが収容されていることを認識する認識部と、その特定の色のトナーを指定して、特殊トナーで印字すべき画像の印字を印字部に指示する指示部とを備えている。
【００１２】
更にまた、本発明は、このような画像処理の方法として捉えることもできる。その場合、本発明の画像処理方法は、複数のトナー収容部の各々に常用トナーを収容しその常用トナーを用いて印字することの可能な印字機構に対し、印字対象の画像を出力する画像処理方法であって、複数のトナー収容部のうち特定の常用トナーが収容されるべきトナー収容部に特殊トナーが収容されていることを認識するステップと、特殊トナーを用いて印字すべき画像を取得するステップと、その特定の常用トナーを指定する指定情報と共に、又は、その特定の常用トナーの信号を用いて、取得された画像を印字機構に出力するステップとを含んでいる。
【００１３】
一方、本発明は、コンピュータに画像処理を実行させるプログラムとして捉えることもできる。その場合、本発明のプログラムは、複数のトナー収容部の各々に常用トナーを収容しその常用トナーを用いて印字することの可能な印字機構に対し、印字対象の画像を出力する機能をコンピュータに実現させるためのプログラムであって、コンピュータに、複数のトナー収容部のうち特定の常用トナーが収容されるべきトナー収容部に特殊トナーが収容されていることを認識する機能と、特殊トナーを用いて印字すべき画像を取得する機能と、その特定の常用トナーを指定する指定情報と共に、又は、その特定の常用トナーの信号を用いて、取得された画像を印字機構に出力する機能とをコンピュータに実現させるためのものである。
【発明の効果】
【００１４】
本発明によれば、通常のフルカラー画像形成装置の構成で、特殊トナーを用いた出力が可能となる。
【発明を実施するための最良の形態】
【００１５】
以下、添付図面を参照して、本発明を実施するための最良の形態(以下、「実施の形態」という)について詳細に説明する。
図１は、本実施の形態が適用されるシステムの構成の一例を示したものである。このシステムは、少なくとも、電子文書の印刷を指示する端末装置１００と、電子文書を蓄積する文書リポジトリ２００と、電子文書の画像にコード画像を重畳して印刷する画像形成装置４００とがネットワーク９００に接続されることにより構成されている。また、このシステムは、画像形成装置４００にて出力される印刷物５００と、印刷物５００に文字又は図形を記録し、その文字又は図形の軌跡を読み取るペンデバイス６００とを含む。更に、ネットワーク９００には、ペンデバイス６００から受信した軌跡と、文書リポジトリ２００から取得した電子文書とを重ね合わせて表示する端末装置７００も接続されている。
【００１６】
以下、本システムの動作の概略を説明する。
まず、端末装置１００は、文書リポジトリ２００から印刷対象の電子文書を取得する(Ａ)。そして、画像形成装置４００に対し、この電子文書の印刷を指示する(Ｂ)。このとき、端末装置１００は、印刷に関するパラメータである印刷属性を指定する。この印刷属性には、通常の印刷と同様、用紙サイズ、向き、両面印刷等が含まれる。また、コード画像に関し、コード画像を印刷すべき領域の指定等が含まれてもよい。
この電子文書の印刷指示を受けると、画像形成装置４００は、電子文書の画像にコード画像を重畳した画像を紙等の媒体に印刷し、印刷物５００を出力する(Ｃ)。この場合、コード画像は、識別情報に対応する識別コードと、位置情報に対応する位置コードとを画像化したものである。或いは、その他の情報である付加情報を含めて画像化したものであってもよい。
【００１７】
ここで、識別情報としては、個々の媒体を一意に識別する情報を採用することができる。例えば、画像形成装置４００の識別番号と画像形成装置４００における媒体の印刷の一連番号又は印刷の日時とを組み合わせて得られる情報であってもよいし、所定のサーバにて重複がないように一元管理されている情報であってもよい。或いは、個々の媒体を一意に識別する情報ではなく、媒体に印刷された電子文書を一意に識別する情報を、識別情報として採用してもよい。
また、位置情報とは、個々の媒体上の座標位置(Ｘ座標、Ｙ座標)を特定するための情報である。例えば、媒体の左上点を原点とし、媒体の右方向にＸ軸をとり、下方向にＹ軸をとることにより設定した座標系で、座標を表すことが考えられる。
更に、付加情報としては、印刷指示を行ったユーザの識別情報や、コピー禁止であるかどうかの情報等がある。
【００１８】
また、画像形成装置４００は、コード画像を、赤外光の吸収率が一定の基準以上である不可視のトナーを用いて不可視画像として形成する。一方、電子文書の文書画像は、赤外光の吸収率が一定の基準以下である可視のトナーを用いて可視画像として形成することが好ましい。尚、コード画像の形成に用いるトナーと文書画像の形成に用いるトナーとで、赤外光の吸収率に差を設けたのは、赤外光を照射してコード画像を読み取る際の読取り精度を確保するためである。尚、本明細書では、赤外光照射によるコード画像の読取りを前提として説明するが、紫外光によりコード画像を読み取るものであってもよい。
【００１９】
その後、ユーザが、ペンデバイス６００を用いて印刷物５００に文字又は図形を筆記したとする(Ｄ)。これにより、ペンデバイス６００は、印刷物５００に対し赤外光を照射し、その反射光を検出することでコード画像を入力する。そして、コード画像から情報を取得又は生成し、有線通信又は無線通信を介して、その情報を端末装置７００に送信する(Ｅ)。尚、ここで送信される情報には、例えば、印刷物５００の識別情報や、印刷物５００に対して筆記された文字又は図形の位置情報がある。或いは、位置情報は、一定の時間における文字又は図形の位置情報を連結させた軌跡情報として送信するようにしてもよい。
その後、端末装置７００は、ペンデバイス６００から受信した識別情報に基づいて、印刷物５００に印刷された文書画像の元となる電子文書を文書リポジトリ２００から取得する(Ｆ)。そして、文書リポジトリ２００から取得した電子文書と、ペンデバイス６００から取得した情報とを重ね合わせて表示する。
【００２０】
ところで、ペンデバイス６００から受信した識別情報が、個々の媒体を一意に識別する情報である場合、この識別情報に基づいて電子文書を取得できるようにするためには、識別情報と電子文書との対応関係を管理しておく必要がある。図１では、この対応関係をどこで管理するかについては明示しなかったが、端末装置７００からアクセス可能であれば、どこで管理するようにしてもよい。例えば、文書リポジトリ２００であってもよいし、画像形成装置４００であってもよい。尚、ペンデバイス６００から受信した識別情報が、媒体に印刷された電子文書を一意に識別する情報である場合は、このような対応関係を参照することなく、電子文書を取得することができる。
また、ペンデバイス６００から軌跡情報を受信した場合、この軌跡情報は、印刷物５００上での筆記位置に対応する電子文書上の位置に重ね合わせて表示される。これは、ペンデバイス６００で読み取ったコード画像に筆記位置の情報が含まれるので、その情報から電子文書の表示イメージにおける対応する位置が特定できるからである。
【００２１】
以上、本実施の形態が適用されるシステムについて述べてきたが、このような構成はあくまで一例に過ぎない。例えば、画像形成装置４００における文書画像とコード画像とを重畳する画像処理部の機能を、端末装置１００、文書リポジトリ２００、又はその他の装置で実現するようにしてもよい。また、文書リポジトリ２００は、端末装置１００内にあってもよい。更に、端末装置１００と端末装置７００とは、同一の端末装置であってもよい。
尚、本明細書では、「電子文書」の文言を用いるが、これは、テキストを含む「文書」を電子化したデータのみを意味するものではない。例えば、絵、写真、図形等の画像データ(ラスタデータかベクターデータかによらない)、その他の印刷可能な電子データも含めて「電子文書」としている。
【００２２】
ところで、図１のシステムでは、画像形成装置４００が、幾つのトナー収容部を有しているか、また、各トナー収容部には不可視トナー以外に如何なる色のトナーが収容されているか、については言及しなかった。但し、図１のシステムが、Ｙ(イエロー)、Ｍ(マゼンタ)、Ｃ(シアン)、Ｋ(黒)の各色トナーを収容すべき４つのトナー収容部を有する一般的な画像形成装置４００を前提としたものであるとすると、４つのトナー収容部のいずれかに収容されたトナーに代えて不可視トナーが収容されていることになる。このようなトナーの交換後の画像形成装置４００を用いる場合に、本実施の形態では、どの色のトナーが不可視トナーに交換されたかを画像形成装置４００から端末装置１００へ通知してもらい、その通知結果に応じた色指定を端末装置１００にて行う。
【００２３】
以下、端末装置１００内の画像処理装置５０がこのような処理を行うものとし、画像処理装置５０の機能構成及び動作について説明する。
図２は、画像処理装置５０の機能構成を示した図である。
図示するように、画像処理装置５０は、文書取得部５１と、文書ＰＤＬ生成部５２と、色設定情報取得部５３と、色設定情報記憶部５４と、コード画像生成部５５と、出力用ＰＤＬ生成部５６とを備えている。
文書取得部５１は、文書リポジトリ２００(図１参照)から端末装置１００のメモリ内に読み込んである電子文書を取得し、文書ＰＤＬ生成部５２を呼び出し、この文書ＰＤＬ生成部５２が、電子文書を、画像形成装置４００が画像形成を行うためのコマンド列からなるＰＤＬ(Page Description Language)ファイルである文書ＰＤＬファイルに変換する。また同時に、コード画像生成部５５に対しコード画像の生成を指示するコード画像生成指示を出力し、色設定情報取得部５３に対し色設定情報の取得を指示する色設定情報取得指示を出力する。
【００２４】
色設定情報取得部５３は、文書取得部５１から色設定情報取得指示があると、画像形成装置４００(図１参照)に色設定情報の送信を要求し、色設定情報を取得する。ここで、色設定情報とは、画像形成装置４００にてどの色のトナーに代えて不可視トナーが用いられているかを示す情報である。色設定情報記憶部５４は、色設定情報取得部５３が取得した色設定情報をメモリ等の記憶手段に記憶する。尚、この色設定情報取得部５３は、画像形成装置４００においてどの色のトナーが不可視トナーに置き換えられているかを認識するという観点から、認識手段として把握することもできる。
【００２５】
コード画像生成部５５は、文書取得部５１からコード画像生成指示があると、後で詳述するフォーマットのコード画像を生成し、色設定情報記憶部５４に記憶された色設定情報を参照してコード画像に色を指定して出力用ＰＤＬ生成部５６に出力する。尚、コード画像生成部５５は、コード画像を取得するという観点から、取得手段として把握することもできる。
出力用ＰＤＬ生成部５６は、文書ＰＤＬ生成部５２から渡された文書ＰＤＬファイル内に、コード画像生成部５５から渡されたコード画像及び色指定の情報をＰＤＬコマンドとして設定した出力用ＰＤＬ(電子文書にコード画像を重畳するコマンドを付加したもの)を生成し、画像形成装置４００に出力する。尚、出力用ＰＤＬ生成部５６は、画像形成装置４００に対し印刷対象の画像を出力するという観点から、出力手段として把握することもできる。
【００２６】
尚、これらの機能は、ソフトウェアとハードウェア資源とが協働することにより実現される。即ち、端末装置１００の図示しないＣＰＵが、文書取得部５１、文書ＰＤＬ生成部５２、色設定情報取得部５３、コード画像生成部５５、出力用ＰＤＬ生成部５６の各機能を実現するプログラムを、例えばハードディスク等の外部記憶装置からメインメモリに読み込んで、画像処理装置５０内にこれらの各機能を実現する。
【００２７】
次に、この画像処理装置５０の動作について説明する。
まず、文書取得部５１は、文書リポジトリ２００から端末装置１００のメモリ内に読み込まれた電子文書を取得する。そして、ユーザの印刷指示に応じて、電子文書を文書ＰＤＬ生成部５２に送ることで、電子文書の印刷を指示する。ここで、文書ＰＤＬ生成部５２は、文書取得部５１から電子文書を受け取ると、その電子文書を印刷するためのＰＤＬコマンドからなる文書ＰＤＬを生成する。
一方、文書取得部５１は、印刷指示と同時に、色設定情報取得部５３に対して色設定情報取得指示を、コード画像生成部５５に対してコード画像生成指示を伝える。
そこで、以下、この場合の色設定情報取得部５３及びコード画像生成部５５の処理について説明する。
【００２８】
図３は、色設定情報取得部５３の処理を示したフローチャートである。
まず、色設定情報取得部５３は、文書取得部５１から色設定情報取得指示があるかどうかを監視する(ステップ５３１)。即ち、色設定情報取得指示がなければ、ステップ５３１を繰り返し、色設定情報取得指示があれば、画像形成装置４００に対し、色設定情報の送信を要求する(ステップ５３２)。
これに応じて、画像形成装置４００は、色設定情報を取得する。即ち、複数のトナー収容部のうち、どの色のトナー収容部に不可視トナーがセットされているかを検出する。尚、この検出方法としては、例えば、どの色のトナーを不可視トナーに交換したかをトナー交換時にユーザが設定しメモリ等に記憶しておき、これに基づいて検出する方法がある。また、トナーカートリッジをロックするロック機構の凹凸パターンを色ごとに異ならせておき、その凹凸パターンを認識することで、不可視トナーのカートリッジが装着されていることを検出する方法も考えられる。
そして、画像形成装置４００がこの取得した色設定情報を返信すると、色設定情報取得部５３はこれを受信し(ステップ５３３)、色設定情報記憶部５４に記憶する(ステップ５３４)。
【００２９】
また、図４は、コード画像生成部５５の処理を示したフローチャートである。
まず、コード画像生成部５５は、文書取得部５１からコード画像生成指示があるかどうかを監視する(ステップ５５１)。即ち、コード画像生成指示がなければ、ステップ５５１を繰り返し、コード画像生成指示があれば、識別コードを生成する(ステップ５５２)。
具体的には、電子文書が印刷される紙等の媒体の識別情報を所定の符号化方式により符号化する。この符号化には、例えば、既知の誤り訂正符号であるＲＳ(リードソロモン)符号やＢＣＨ符号を用いることができる。また、誤り検出符号として、位置情報のＣＲＣ(Cyclic Redundancy Check)やチェックサム値を計算し、それを冗長ビットとして付加することもできる。
そして、この符号化された識別情報を、コード情報として埋め込む形式に変換する。例えば、第三者による解読が困難になるように、符号化された識別情報における各ビットの配置を、疑似乱数等により入れ替えたり暗号化したりすることができる。また、識別コードが２次元配置される場合は、ビット値をコードの配置と同様に２次元配置しておく。
【００３０】
次に、コード画像生成部５５は、位置コードを生成する(ステップ５５３)。
具体的には、電子文書が印刷される媒体のサイズに応じた位置情報を所定の符号化方式により符号化する。この符号化には、識別情報の符号化に使用したのと同様の方式を使用することができる。また、位置情報は、疑似雑音系列の一種であるＭ系列を利用して表すこともできる。ここで、Ｍ系列は、ｋ段の線形シフトレジスタで生成できる最大周期の系列であり、その周期は２ｋ−１である。また、Ｍ系列中の任意の位置から取り出した連続するｋビットの部分系列がＭ系列中に１度しか現われないという性質を持っている。この性質により、連続したｋビットの部分系列ごとに位置情報を対応させておけば、部分系列を検出することで位置情報を特定することができる。
そして、この符号化された位置情報を、コード情報として埋め込む形式に変換する。例えば、第三者による解読が困難になるように、符号化された位置情報における各ビットの配置を、疑似乱数等により入れ替えたり暗号化したりすることができる。また、位置コードが２次元配置される場合は、ビット値をコードの配置と同様に２次元配置しておく。
【００３１】
その後、コード画像生成部５５は、ステップ５５２で生成された識別コード及びステップ５５３で生成された位置コードを２次元に配置する(ステップ５５４)。このとき、識別コードは、位置によらず同じコードが配置されるが、位置コードは、位置により異なるコードが配置される。
また、識別コード及び位置コードの各ビットに後述のパターン画像を割り当てることにより、コード画像を生成する(ステップ５５５)。
【００３２】
ところで、コード画像は、この時点では２値の画像であるが、本実施の形態において、コード画像生成部５５は、このコード画像に対し色属性を付加する。
即ち、まず、コード画像生成部５５は、色設定情報記憶部５４から色設定情報を取り出す(ステップ５５６)。そして、この色設定情報にて示される色属性をコード画像に付加する(ステップ５５７)。例えば、色設定情報として、イエロー(Ｙ)が不可視(Ｉ)に置き換えられている旨の情報が記憶されているとする。その場合、コード画像生成部５５は、コード画像に対しイエロー(Ｙ)を色属性として指定する。
そして、最後に、コード画像生成部５５は、色指定がなされたコード画像を出力用ＰＤＬ生成部５６に出力する(ステップ５５８)。
【００３３】
これにより、出力用ＰＤＬ生成部５６は、文書ＰＤＬ生成部５２から送られた文書ＰＤＬに対し、コード画像生成部５５から送られたコード画像及び色指定の情報を用いてコード画像重畳のためのＰＤＬコマンドを挿入することにより、出力用ＰＤＬを生成する。
そして、この出力用ＰＤＬを画像形成装置４００に送信することで、画像形成装置４００では、不可視トナーでコード画像が印刷されることとなる。
【００３４】
次に、ここで印刷されるコード画像について説明する。
図５(ａ)〜(ｃ)は、上述したコード画像を説明するための図である。図５(ａ)は、不可視画像として形成される２次元コード配列を模式的に示している。また、図５(ｂ)は、図５(ａ)における２次元コード配列の１単位である２次元コードを拡大して示した図である。更に、図５(ｃ)は、バックスラッシュ「＼」とスラッシュ「／」のパターン画像を説明するための図である。
【００３５】
本実施の形態において、図５(ａ)〜(ｃ)に示すコード画像は、可視光領域(４００ｎｍ〜７００ｎｍ)における最大吸収率が例えば７％以下であり、近赤外領域(８００ｎｍ〜１０００ｎｍ)における吸収率が例えば３０％以上の不可視トナーによって形成される。また、この不可視トナーは、画像の機械読取りのために必要な近赤外光吸収能力を高めるために、平均分散径は１００ｎｍ〜６００ｎｍの範囲のものが採用される。ここで、「可視」及び「不可視」は、目視により認識できるかどうかとは関係しない。印刷された媒体に形成された画像が可視光領域における特定の波長の吸収に起因する発色性の有無により認識できるかどうかで「可視」と「不可視」とを区別している。また、可視光領域における特定の波長の吸収に起因する発色性が若干あるが、人間の目で認識し難いものも「不可視」に含める。
【００３６】
また、このコード画像は、赤外光照射による機械読取りと復号化処理とが長期に亘って安定して可能で、且つ、情報が高密度に記録できる不可視画像で形成される。更に、画像を出力する媒体表面の可視画像が設けられた領域とは関係なく、任意の領域に設けることが可能な不可視画像であることが好ましい。更に、例えば、目視した際に光沢差によって認識できる不可視画像であることが更に好ましい。また、例えば、印刷される媒体の大きさに合わせて媒体面(紙面)の全面に不可視画像が形成される。但し、「全面」とは、用紙の四隅を全て含む意味ではない。電子写真方式等の装置では、通常、紙面の周囲は印刷できない範囲である場合が多いことから、かかる範囲には不可視画像を印刷する必要はない。
【００３７】
図５(ｂ)に示す２次元コードは、媒体上の座標位置を示す位置コードが格納される領域と、媒体等を一意に特定するための識別コードが格納される領域とを含んでいる。また、同期コードが格納される領域も含んでいる。そして、図５(ａ)に示すように、この２次元コードが媒体面に複数、格子状に配置される。即ち、媒体面に、図５(ｂ)に示すような２次元コードが複数個、配置され、その各々が、位置コード、識別コード、及び同期コードを備えている。そして、複数の位置コードの領域には、それぞれ配置される場所により異なる位置情報が格納されている。一方、複数の識別コードの領域には、配置される場所によらず同じ識別情報が格納されている。
【００３８】
図５(ｂ)において、位置コードは、６ビット×６ビットの矩形領域内に配置されている。各ビット値は、回転角度が異なる複数の微小ラインビットマップで形成され、図５(ｃ)に示されるパターン画像(パターン０とパターン１)で、ビット値０とビット値１を表現している。より具体的には、相互に異なる傾きを有するバックスラッシュ「＼」及びスラッシュ「／」を用いてビット値０とビット値１とを表現している。パターン画像は６００ｄｐｉで８×８画素の大きさで構成されており、左上がりの斜線のパターン画像(パターン０)がビット値０を、右上がりの斜線のパターン画像(パターン１)がビット値１を表現する。従って、１つのパターン画像で１ビットの情報(０又は１)を表現できる。このような２種類の傾きからなる微小ラインビットマップを用いることで、可視画像に与えるノイズが極めて小さく、且つ、大量の情報を高密度にデジタル化して埋め込むことが可能な２次元コードを提供することが可能となる。
【００３９】
即ち、図５(ｂ)に示した位置コード領域には合計３６ビットの位置情報が格納されている。この３６ビットのうち、１８ビットをＸ座標の符号化に、１８ビットをＹ座標の符号化に使用することができる。各１８ビットを全て位置の符号化に使用すると、２１８通り(約２６万通り)の位置を符号化できる。各パターン画像が図５(ｃ)に示したように８画素×８画素(６００ｄｐｉ)で構成されている場合には、６００ｄｐｉの１ドットは０.０４２３ｍｍであることから、図５(ｂ)の２次元コード(同期コードを含む)の大きさは、縦横共に３ｍｍ程度(８画素×９ビット×０.０４２３ｍｍ)となる。３ｍｍ間隔で２６万通りの位置を符号化した場合、約７８６ｍの長さを符号化できる。このように１８ビット全てを位置の符号化に使用してもよいし、或いは、パターン画像の検出誤りが発生するような場合には、誤り検出や誤り訂正のための冗長ビットを含めてもよい。
また、識別コードは、２ビット×８ビット及び６ビット×２ビットの矩形領域に配置されており、合計２８ビットの識別情報を格納できる。識別情報として２８ビットを使用した場合は、２２８通り(約２億７千万通り)の識別情報を表現できる。識別コードも位置コードと同様に、２８ビットの中に誤り検出や誤り訂正のための冗長ビットを含めることができる。
【００４０】
尚、図５(ｃ)に示す例では、２つのパターン画像は互いに角度が９０度異なるが、角度差を４５度とすれば４種類のパターン画像を構成できる。このように構成した場合は、１つのパターン画像で２ビットの情報(０〜３)を表現できる。即ち、パターン画像の角度種類を増やすことで、表現できるビット数を増加することができる。
また、図５(ｃ)に示す例では、パターン画像を使用してビット値の符号化を説明しているが、パターン画像以外を採用してもよい。例えば、ドットのＯＮ/ＯＦＦや、ドットの位置を基準位置からずらす方向により符号化することも可能である。
【００４１】
図６は、図１の画像形成装置４００の構成を示した図であり、所謂タンデム型の機構を示している。尚、この画像形成装置４００は、本来、イエロー(Ｙ)、マゼンタ(Ｍ)、シアン(Ｃ)、黒(Ｋ)の４つの現像器を有する画像形成装置において、黒(Ｋ)を不可視(Ｉ)に交換したものである。
この画像形成装置４００は、各色の階調データに対応して画像形成を行う画像プロセス系４１０、記録用紙(シート、媒体)を搬送するシート搬送系４３０、画像形成装置４００全体を制御する画像出力制御部４４１、例えばパーソナルコンピュータやスキャナユニット４４５等に接続され、受信したＰＤＬデータを解釈して画像データに変換する機能や、画像データに対して所定の画像処理を施す機能を持つ画像処理系であるＩＰＳ(Image Processing System)４４２を備えている。本構成例では、プリント処理を行う機能とスキャン系処理を行う機能を併せ持ったものをＩＰＳと表現しているが、それぞれ別モジュールとして実現してもよい。尚、図６は、画像形成装置４００をユーザが操作する側(手前側)から見た図である。
【００４２】
画像プロセス系４１０は、水平方向に一定の間隔を置いて並列的に配置される、イエロー(Ｙ)、マゼンタ(Ｍ)、シアン(Ｃ)、不可視(Ｉ)の４つの画像形成ユニット４１１Ｙ,４１１Ｍ,４１１Ｃ,４１１Ｉ、この画像形成ユニット４１１Ｙ,４１１Ｍ,４１１Ｃ,４１１Ｉの感光体ドラム４１２に形成された各色のトナー像を中間転写ベルト４２１上に多重転写させる転写ユニット４２０を備えている。また、転写ユニット４２０によって二次転写された記録用紙上の画像を、熱及び圧力を用いて記録用紙に定着させる定着器４２９を備えている。更に、画像形成ユニット４１１Ｙ,４１１Ｍ,４１１Ｃ,４１１Ｉに対して各色のトナーを供給するためのトナーカートリッジ４１９Ｙ,４１９Ｍ,４１９Ｃ,４１９Ｉが設けられている。
【００４３】
本実施の形態において、各画像形成ユニット４１１(４１１Ｙ,４１１Ｍ,４１１Ｃ,４１１Ｉ)は、矢印Ａ方向に回転する感光体ドラム４１２の周囲に、これらの感光体ドラム４１２を帯電させる帯電器４１３、感光体ドラム４１２上に静電潜像を書き込むレーザ露光器４１４、各色成分トナーが収容されて感光体ドラム４１２上の静電潜像をトナーにより現像する現像器４１５、感光体ドラム４１２上に形成された各色成分トナー像を中間転写ベルト４２１に転写する一次転写ロール４１６、感光体ドラム４１２上の残留トナーを除去するドラムクリーナ４１７等の電子写真用デバイスが順次配設されている。これらの画像形成ユニット４１１は、中間転写ベルト４２１の上流側から、イエロー(Ｙ)、マゼンタ(Ｍ)、シアン(Ｃ)、不可視(Ｉ)の順に配置されている。
【００４４】
転写ユニット４２０は、中間転写ベルト４２１を駆動するドライブロール４２２、中間転写ベルト４２１に一定のテンションを付与するテンションロール４２３、重畳された各色のトナー像を記録用紙に二次転写するためのバックアップロール４２４、中間転写ベルト４２１上に存在する残留トナー等を除去するベルトクリーナ４２５を備えている。中間転写ベルト４２１は、このドライブロール４２２とテンションロール４２３及びバックアップロール４２４との間に一定のテンションで掛け回されており、定速性に優れた専用の駆動モータ(図示せず)によって回転駆動されるドライブロール４２２により、矢印Ｂ方向に所定の速度で循環駆動される。この中間転写ベルト４２１は、例えば、チャージアップを起こさないベルト素材(ゴム又は樹脂)にて抵抗調整されたものが使用されている。
【００４５】
シート搬送系４３０は、画像が記録される記録用紙(シート、媒体)を積載して供給する給紙トレイ４３１、給紙トレイ４３１から記録用紙を取り上げて供給するナジャーロール４３２、ナジャーロール４３２から供給された記録用紙を１枚ずつ分離して搬送するフィードロール４３３、フィードロール４３３により１枚ずつに分離された記録用紙を画像転写部に向けて搬送する搬送路４３４を備えている。また、搬送路４３４を介して搬送された記録用紙に対し、二次転写位置に向けてタイミングを合わせて搬送するレジストロール４３５、二次転写位置に設けられバックアップロール４２４に圧接して記録用紙上に画像を二次転写する二次転写ロール４３６、定着器４２９によってトナー画像が定着された記録用紙を機外に排出する排出ロール４３７、排出ロール４３７によって排出された記録用紙を積載する排出トレイ４３８を備えている。
【００４６】
また、スキャナユニット４４５は、図示しないＣＣＤイメージセンサ等によってプラテンガラスに載置された原稿の画像、又は、プラテンガラス上を搬送される原稿の画像を読み取る。ここで、本実施の形態における画像形成装置４００では、その上部側にスキャナユニット４４５を配設することにより、省スペース化を図っている。尚、排出トレイ４３８とスキャナユニット４４５との間には所定の隙間が形成されており、排出トレイ４３８に排出された画像形成後の記録用紙を容易に取り出せるようになっている。
【００４７】
次に、この画像形成装置４００の作像プロセスについて説明する。
まず、図２の出力用ＰＤＬ生成部５６で生成された出力用ＰＤＬが、ＩＰＳ４４２に入力される。ＩＰＳ４４２は、入力されたＰＤＬに対し、ＰＤＬのコマンドを解釈して出力用画像を生成する等の所定の画像処理を施す。画像処理が施された画像データは、イエロー(Ｙ)、マゼンタ(Ｍ)、シアン(Ｃ)、不可視(Ｉ)の４色の色材階調データに変換され、各画像形成ユニット４１１Ｙ,４１１Ｍ,４１１Ｃ,４１１Ｉのレーザ露光器４１４に出力される。
【００４８】
各画像形成ユニット４１１Ｙ,４１１Ｍ,４１１Ｃ,４１１Ｉでは、感光体ドラム４１２が帯電器４１３によって所定の電位に帯電される。また、各画像形成ユニット４１１Ｙ,４１１Ｍ,４１１Ｃ,４１１Ｉのレーザ露光器４１４では、ＩＰＳ４４２より入力された色材階調データに応じて、画像形成ユニット４１１Ｙ,４１１Ｍ,４１１Ｃ,４１１Ｉの感光体ドラム４１２にレーザ光を照射している。画像形成ユニット４１１Ｙ,４１１Ｍ,４１１Ｃ,４１１Ｉの感光体ドラム４１２では、帯電された表面が露光され、静電潜像が形成される。形成された静電潜像は、各々の画像形成ユニット４１１Ｙ,４１１Ｍ,４１１Ｃ,４１１Ｉの現像器４１５にて、イエロー(Ｙ)、マゼンタ(Ｍ)、シアン(Ｃ)、不可視(Ｉ)の各色のトナー像として現像される。
【００４９】
画像形成ユニット４１１Ｙ,４１１Ｍ,４１１Ｃ,４１１Ｉの各感光体ドラム４１２上に形成されたトナー像は、中間転写ベルト４２１上に多重転写される。このとき、イエロー、マゼンタ、シアンのトナー像を形成する画像形成ユニット４１１Ｙ,４１１Ｍ,４１１Ｃは、中間転写ベルト４２１の移動方向の最上流側に設けられているため、イエロー、マゼンタ、シアンのトナー像を中間転写ベルト４２１に対して最初に一次転写する。また、不可視のトナー像を形成する画像形成ユニット４１１Ｉは、中間転写ベルト４２１の移動方向の最下流側に設けられているため、不可視のトナー像を中間転写ベルト４２１に対して最後に一次転写する。そして、転写後の画像形成ユニット４１１Ｙ,４１１Ｍ,４１１Ｃ,４１１Ｉの感光体ドラム４１２は、ドラムクリーナ４１７によってクリーニングされる。
【００５０】
一方、シート搬送系４３０では、画像形成のタイミングに合わせてナジャーロール４３２が回転し、給紙トレイ４３１から所定サイズの記録用紙が供給される。フィードロール４３３により１枚ずつ分離された記録用紙は、搬送路４３４を経てレジストロール４３５に搬送され、一旦、停止される。その後、トナー像が形成された中間転写ベルト４２１の移動タイミングに合わせてレジストロール４３５が回転し、記録用紙は、バックアップロール４２４及び二次転写ロール４３６によって形成される二次転写位置に搬送される。二次転写位置にて下方から上方に向けて搬送される記録用紙には、圧接力及び所定の電界を用いて、４色が多重されているトナー像が副走査方向に順次、転写される。そして、各色のトナー像が転写された記録用紙は、定着器４２９によって熱及び圧力で定着処理を受けた後、排出ロール４３７によって上部に設けられた排出トレイ４３８に排出される。一方、二次転写後の中間転写ベルト４２１は、ベルトクリーナ４２５によってクリーニングされ、次のプロセスに備える。
【００５１】
尚、本実施の形態では、通常の画像形成装置の構成として、４色の常用トナーを用いる構成を例示し、いずれかの常用トナーの代わりに用いる特殊トナーを不可視トナーとしたが、このような構成に限られるものではない。また、特殊トナーとしては、不可視トナーだけでなく、常用トナーと色や性質等の異なる如何なるトナーを採用してもよい。
また、本実施の形態では、特殊トナーで印刷すべき画像として、所定の情報をコード化し画像化したコード画像を想定したが、その他の画像を特殊トナーで印刷するように構成してもよい。
【００５２】
また、本実施の形態では、特殊トナーで印刷すべき情報に対する色指定の処理を、ネットワークを介して画像形成装置に接続されたパーソナルコンピュータ等の端末装置で行うこととした。従って、端末装置から画像形成装置へ画像を出力するためのＰＤＬに対し、色指定の情報をＰＤＬコマンドで設定するようにした。しかしながら、特殊トナーで印刷すべき情報に対する色指定の処理は、画像形成装置内のＩＰＳにて行うことも可能である。この場合は、どの色のトナーが特殊トナーに置き換えられているかを画像形成装置自身が検出し、ＩＰＳは、特殊トナーによって置き換えられている色の信号を用いて、画像形成装置内の印刷機構に対し印刷を指示することになる。
【００５３】
以上述べたように、本実施の形態では、通常のフルカラー画像形成装置において特殊トナーによって置き換えられたトナーの色を認識し、特殊トナーで印刷したい情報にその色の指定を付加して出力するようにした。そして、このような構成により、通常のフルカラー画像形成装置の構成で、特殊トナーを用いた出力が可能となった。しかも、どのトナーを特殊トナーと交換したかをユーザが意識することなく、特殊トナーを用いた画像を出力できるようになった。
また、このことは、次のようなシステムにおいて多大な効果をもたらすことになる。例えば、複数台の通常のフルカラー画像形成装置において、それぞれ異なる色のトナーを特殊トナーに交換し、この複数台の画像形成装置に接続されている１台の端末装置から選択した画像形成装置に対し印刷を指示するようなシステムである。このような場合であっても、各画像形成装置から色設定情報が得られるので、各画像形成装置においてどの色のトナーが特殊トナーに置き換えられているかを意識することなく、画像を出力することが可能になる。
【００５４】
ところで、本実施の形態では、ある色のトナーが特殊トナーに置き換えられている場合に、特殊トナーで印刷すべき情報に対し、特殊トナーで置き換えられた色を設定して出力することのみを述べた。しかしながら、このような場合、特殊トナーによって置き換えられた色が文書画像で使われている場合は、その色も不可視トナーで印刷されてしまうため、色が抜けてしまうことになる。
そこで、特殊トナーによって置き換えられた色が文書画像で使用されているかどうかをチェックする機構を設け、そのような色が使用されていれば、ユーザに対し、警告やプリントの確認を行うように構成してもよい。このようなチェックの方法としては、例えば、特殊トナーで置き換えられた色が文書ＰＤＬに含まれているかどうかを検査することが考えられる。
【図面の簡単な説明】
【００５５】
【図１】本発明の実施の形態が適用されるシステムの全体構成を示した図である。
【図２】本発明の実施の形態における画像処理装置の機能構成を示した図である。
【図３】本発明の実施の形態の画像処理装置における色設定情報取得部の動作を示したフローチャートである。
【図４】本発明の実施の形態の画像処理装置におけるコード画像生成部の動作を示したフローチャートである。
【図５】本発明の実施の形態において媒体上に印刷されるコード画像を説明するための図である。
【図６】本発明の実施の形態における画像形成装置の構成例を示した図である。
【符号の説明】
【００５６】
５０…画像処理装置、１００，７００…端末装置、２００…文書リポジトリ、４００…画像形成装置、５００…印刷物、６００…ペンデバイス
【図１】
0004830453.tif 000002
【図２】
0004830453.tif 000003
【図３】
0004830453.tif 000004
【図４】
0004830453.tif 000005
【図５】
0004830453.tif 000006
【図６】
0004830453.tif 000007